(57)【特許請求の範囲】
【請求項１】
便器本体と、この便器本体の洗浄をするための洗浄水を貯水する貯水タンクと、この貯水タンク内の水を上記便器本体に圧送する加圧ポンプと、上記貯水タンクから上記加圧ポンプへ水を供給するポンプ給水管と、ジェット側へ洗浄水を供給するジェット側給水管と、リム側へ洗浄水を供給するリム側給水管と、を備える水洗便器であって、
上記貯水タンクへ水を供給するタンク水供給源と、
上記貯水タンク内の上方に設けられ上記タンク水供給源により上記貯水タンク内に供給される水の水位を検出する上方水位検出手段と、
この上方水位検出手段より所定量上方でその一端が開口し、上記貯水タンク内の水を上記ジェット側給水路又は上記リム側給水路に逃がすことが出来るオーバーフロー管と、
上記上方水位検出手段による水位検出後に上記タンク水供給源から所定量の水を追加給水させる追加給水手段と、
上記貯水タンク内の下方に設けられ上記貯水タンクから上記加圧ポンプに供給されるときの上記貯水タンクの水の水位を検出する下方水位検出手段と、を有し、
上記追加給水手段により追加される上記所定量の水は、その追加により上昇する水位が上記オーバーフロー管の一端と一致し或いは上回るような量に設定されて、このオーバーフロー管により定められる水位が貯水水位となるようになっており、且つ、上記下方水位検出手段により水位が検出されると上記加圧ポンプを停止させるようになっていることを特徴とする水洗便器。
【請求項２】
上記貯水タンクへ水を供給する上記タンク水供給源の吐水及び止水はダイヤフラム式バルブにより行われ、
上記追加給水手段は、このダイヤフラム式バルブの閉止後の自閉吐水量を上記所定量の水として追加給水させる請求項１に記載の水洗便器。
【請求項３】
上記貯水タンクから上記加圧ポンプへ水を供給するポンプ給水管の給水口は、上記下方水位検出手段より所定量下方の位置で下方に向けて開口している請求項１又は請求項２に記載の水洗便器。
【請求項４】
上記ポンプ給水管の給水口には、貯水タンクから給水管への水の流れを規制せず、給水管から貯水タンクへの水の流れを規制する逆止弁として作用するフラッパー弁が設けられている請求項１乃至３のいずれか１項に記載の水洗便器。
【発明の詳細な説明】
【技術分野】
【０００１】
本発明は、水洗便器に係り、特に、洗浄水を貯水する貯水タンク及びこの貯水タンク内の水を上記便器本体に圧送する加圧ポンプを備える水洗便器に関する。
【背景技術】
【０００２】
近年、水洗大便器において、貯水タンク内の洗浄水をポンプにより加圧し便器に供給するようになっている水洗便器が知られている。
【０００３】
【特許文献１】特開２００５−２６４４６９号公報
【発明の開示】
【発明が解決しようとする課題】
【０００４】
しかしながら、本発明者らは、たとえポンプの駆動量が正確であり、そのようなポンプにより供給される洗浄水が一定であっても、便器への吐水口、例えばジェット口から吐出される吐出量が、ジェット口などの寸法誤差などにより規定どおりの吐水量が得られない場合があることを見出した。
また、近年、便器本体や貯水タンクの他に、洗浄水を加圧する加圧ポンプや、ジェット給水路側とリム給水路側とを切り替える切替弁などの機器、さらに、これらの作動状態を制御する基板や、温水洗浄便座などの電装品などが設けられるようになっている。それに伴い、より少ないスペースで貯水タンクを設け、限られた貯水タンクの容量で最大限の吐水量を確保したい、という課題が明らかになってきた。
【０００５】
本発明は、上述した従来技術の問題点を解決するためになされたものであり、規定通りの洗浄水の吐水量をより小さい貯水タンクから得ることが出来る水洗便器を提供することを目的とする。
【課題を解決するための手段】
【０００６】
上記の目的を達成するために本発明は、便器本体と、この便器本体の洗浄をするための洗浄水を貯水する貯水タンクと、この貯水タンクへ水を供給するタンク水供給源と、この貯水タンク内の水を便器本体に圧送する加圧ポンプと、貯水タンクから加圧ポンプへ水を供給するポンプ給水管と、ジェット側へ洗浄水を供給するジェット側給水管と、リム側へ洗浄水を供給するリム側給水管と、を備える水洗便器であって、貯水タンク内の上方に設けられタンク水供給源により貯水タンク内に供給される水の水位を検出する上方水位検出手段と、この上方水位検出手段より所定量上方でその一端が開口し、貯水タンク内の水をジェット側給水路又はリム側給水路に逃がすことが出来るオーバーフロー管と、上方水位検出手段による水位検出後にタンク水供給源から所定量の水を追加給水させる追加給水手段と、貯水タンク内の下方に設けられ貯水タンクから加圧ポンプに供給されるときの貯水タンクの水の水位を検出する下方水位検出手段と、を有し、追加給水手段により追加される水量は、その追加により上昇する水位がオーバーフロー管の一端と一致し或いは上回るような量に設定されて、このオーバーフロー管により定められる水位が貯水水位となるようになっており、且つ、下方水位検出手段により水位が検出されると加圧ポンプを停止させるようになっていることを特徴としている。
【０００７】
このように構成された本発明においては、上方水位検出手段による水位検出後にタンク水供給源から所定量の水を追加給水させる追加給水手段により、ほぼ確実に、上方のオーバーフロー管の一端の高さを貯水水位とすることが出来、さらに、下方水位検出手段により水位が検出されると加圧ポンプが停止されて、加圧ポンプから貯水タンク内への水の圧送が停止するので、ほぼ常に規定通りの水量を便器本体に供給することが出来る。また、オーバーフロー管の一端の高さで貯水水位を定めることが出来るので、貯水タンク上部の空間を最小限に留めた比較的小さな貯水タンクでも、上述したように規定通りの水量を確保することが出来る。
【０００８】
また、本発明において、好ましくは、貯水タンクへ水を供給するタンク水供給源の吐水及び止水はダイヤフラム式バルブにより行われ、追加給水手段は、このダイヤフラム式バルブの閉止後の自閉吐水量を所定量の水として追加給水させる。
このように構成された本発明においては、貯水タンクへ水を供給するタンク水供給源の止水はダイヤフラム式バルブにより行われるので、止水は緩停止して、止水時のウォーターハンマー現象のような騒音が生じることを抑制することが出来る。さらに、ダイヤフラム式バルブの閉止後の自閉吐水量を所定量の水として追加給水させるので、ダイヤフラム式バルブの閉止後の自閉吐水量を有効に利用して、追加給水を行うことが出来る。
【０００９】
また、本発明において、好ましくは、貯水タンクから加圧ポンプへ水を供給するポンプ給水管の給水口は、下方水位検出手段より所定量下方の位置で下方に向けて開口している。
このように構成された本発明においては、所定量（例えば、毎回ほぼ一定である加圧ポンプの慣性吐水量より大きい量）下方の位置にポンプ給水管の給水口を下方に向けて開口すれば、エアの巻き込みによる加圧ポンプのエア噛を防止することが出来る。
【００１０】
また、本発明において、好ましくは、ポンプ給水管の給水口には、貯水タンクから給水管への水の流れを規制せず、給水管から貯水タンクへの水の流れを規制する逆止弁として作用するフラッパー弁が設けられている。
このように構成された本発明においては、圧損の少ないフラッパー弁により給水管から貯水タンクへの水の流れを確実に規制して、加圧ポンプからの水抜けを防止することにより、連続駆動時でも加圧ポンプのエア噛を防止することが出来る。
【発明の効果】
【００１１】
本発明によれば、規定通りの洗浄水の吐水量をより小さい貯水タンクから得ることが出来る。
【発明を実施するための最良の形態】
【００１２】
以下、添付図面を参照して、本発明の実施形態による水洗便器を説明する。
先ず、図１乃至図３により、本発明の実施形態による水洗大便器の構造を説明する。図１は、本発明の実施形態による水洗大便器の側面図であり、図２は図１に示す水洗大便器の平面図であり、図３は本発明の実施形態による水洗大便器を示す全体構成図である。
【００１３】
図１及び図２に示すように、本発明の実施形態による水洗大便器１は、便器本体２と、この便器本体２の上面に配置された便座４と、便座４を覆うように配置されたカバー６と、便器本体の後方上部に配置された局部洗浄装置８と、を備えている。さらに、便器本体２の後方には、機能部１０が配置されており、この機能部１０はサイドパネル１１により覆われている。
【００１４】
便器本体２には、汚物を受けるボウル部１２と、このボウル部１２の底部から延びる排水トラップ管路１４と、排水トラップ管路１４の下端に接続された配水管１５と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐水するようになっている。リム吐水口１８は、ボウル部１２の左側上部後方に形成されており、ボウル部１２の上縁に沿って洗浄水を吐出するようになっている。
【００１５】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。トラップ下降管１４ｃの下端に上述した配水管１５が接続されている。
【００１６】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２によって加圧して、大流量でジェット吐水口１６から吐出させるようになっている。
【００１７】
次に、図３により、本実施形態による水洗大便器１の機能部１０を詳細に説明する。
図３に示すように、機能部１０には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。定流量弁３２は、止水栓２６、ストレーナ２８、分岐金具３０を介して流入した洗浄水を、所定の流量以下に絞るためのものである。
【００１８】
これらの定流量弁３２、電磁開閉弁３４、及び、給水路切替弁３６は、図３に示すように、バルブユニット３７として、一体的に組み立てられたものとなっている。また、給水路切替弁３６の下流側には、リム吐水口１８に洗浄水を供給するためのリム側給水路３８、及び、貯水タンク２０に洗浄水を供給するためのタンク側給水路４０が接続されている。
【００１９】
ここで、定流量弁３２を通過した洗浄水は、電磁開閉弁３４に流入し、電磁開閉弁３４を通過した洗浄水は、給水路切替弁３６により、リム側であるリム給水路３８からリム吐水口１８へ、又は、タンク側であるタンク側給水路４０から貯水タンク２０に供給されるようになっている。給水路切替弁３６は、リム側給水路３８とタンク側給水路４０の両方に同じタイミングで洗浄水を供給可能であって、リム側とタンク側への吸水量の割合を任意に変更出来る切替弁である。
これらの電磁開閉弁３４の開閉操作、及び、給水路切替弁３６の切替操作は、機能部１０のコントローラ６２により制御される。そして、電磁開閉弁３４を開弁して給水路切替弁３６がタンク側給水路４０に連通させることにより貯水タンクへ水を供給することができ、タンク水供給源に該当する。
【００２０】
また、貯水タンク２０の下部には、ジェット側給水路４６が接続されており、このジェット側給水路４６の下流端は、ジェット吐水口１６に接続されている。また、ジェット側給水路４６の途中に上述した加圧ポンプ２２が設けられている。この加圧ポンプ２２は、貯水タンク２０に貯水された洗浄水を加圧して、ジェット吐水口１６から吐出させるためのものである。加圧ポンプ２２の回転数や作動時間等は、機能部１０に設けられたコントローラ６２により制御される。
【００２１】
ジェット側給水路４６は、加圧ポンプ２２より上流側の上流ジェット側給水路４６ａと下流側の下流ジェット側給水路４６ｂとから構成されている。ここで、下流ジェット側給水路４６ｂは、図３に示すように、先ず、加圧ポンプ２２から上方に延び、大便器１のボウル部１２の溜水面Ａよりも上方に配管が配置され、その後、配管が下方に向けて延びて構成されている。このように上方に向けた凸型に形成されている下流ジェット側給水路４６ｂにおいて、その凸型部分の最も高い部分である頂部４６ｃは、貯水タンク２０からジェット吐水口１６に至るジェット側給水路４６の中で最も高い部分になっている。なお、上流ジェット側給水路４６ａが貯水タンク２０から加圧ポンプ２２へ水を供給するポンプ給水管に該当する。
【００２２】
次に、上述したリム側給水路３８には、リム吐水用バキュームブレーカ４８が設けられており、給水路２４に負圧が発生したときに洗浄水のリム吐出口１８からの逆流を防止している。また、リム吐出用バキュームブレーカ４８は、図３に示すように、ボウル部１２の上端面よりも上方に配置され、これにより、逆流を確実に防止している。さらに、リム吐水用バキュームブレーカ４８の大気開放部から溢れた洗浄水は、戻り管路５０を通って貯水タンク２０に流入するようになっている。
タンク側給水路４０にも、逆止弁であるバキュームブレーカ４２が設けられており、洗浄水の貯水タンクからの逆流を防止している。
【００２３】
ここで、貯水タンク２０は、密閉タイプの貯水タンクであり、タンク側給水路４０と貯水タンク２０との接続部には、ボール式逆止弁４３が設けられている。このボール式逆止弁４３により、貯水タンク２０が満水状態になった場合でも、ボール９０が浮上して、タンク側給水路４０との接続部を閉鎖するので、洗浄水がタンク側給水路４０に逆流することがないようになっている。
同様に、戻り管路５０と貯水タンク２０の接続部にも、ボール式逆止弁４４が設けられており、貯水タンク２０が満水状態となった場合でも、洗浄水が戻り管路５０に逆流することはないようになっている。
【００２４】
さらに、ジェット側給水路４６の上流ジェット側給水路４６ａには、逆止弁であるジェット吐水用フラッパー弁５６及び水抜栓５８が設けられている（図５参照）。これらのジェット吐水用フラッパー弁５６及び水抜栓５８は、加圧ポンプ２２よりも下方の、貯水タンク２０の下端部付近の高さに配置されている。このため、水抜栓５８（図５参照）を開放することにより、メンテナンス時等に貯水タンク２０内及び加圧ポンプ２２内の洗浄水を排水することができるようになっている。
【００２５】
また、貯水タンク２０と加圧ポンプ２２の間にジェット吐水用フラッパー弁５６を配置することにより、貯水タンク２０内の水位が加圧ポンプ２２の高さよりも低くなった場合に、洗浄水が加圧ポンプ２２から貯水タンク２０に逆流し、加圧ポンプ２２内の洗浄水が抜け、加圧ポンプ２２が空運転してしまうことを防止している。また、加圧ポンプ２２の下方には、水受けトレイ６０が配置されており、結露した水滴や漏水を受けるようになっている。
【００２６】
さらに、貯水タンク２０の上方フロートスイッチ６４ａよりも上方位置に、その一端７０ａが開口し、他端７０ｂが下流ジェット側給水路６４ｂに接続されたオーバーフロー流路７０が設けられている。このオーバーフロー流路７０には、逆止弁であるフラッパー弁７２が取り付けられている。
このオーバーフロー流路７０は、貯水タンク２０において、水が開口７０ａより高くなるような場合、その貯水タンク２０内の水をジェット側給水路４６に逃がして、貯水タンク２０から水が溢れ出すことがないようにするものである。
【００２７】
また、このオーバーフロー流路７０及びフラッパー弁７２により、洗浄水のジェット吐水口１６からの逆流を防止すると共に、これらの間の縁切りを行うことができるようになっている。また、オーバーフロー流路７０の他端７０ｂが、ボウル部１２内の溜水の水位よりも上方に設けられているため、洗浄水のジェット吐水口１６からの逆流をより確実に防止するようにしている。
【００２８】
上述した電磁開閉弁３４、給水路切替弁３６、加圧ポンプ２２などの動作内容を説明する。コントローラ６２は、使用者による便器洗浄スイッチ（図示せず）の操作により、電磁開閉弁３４、給水路切替弁３６を作動させ、先ずリム吐水口１８から吐水し、リム吐水を継続させながら、次に加圧ポンプ２２を作動してジェット吐水口からの吐水を開始させて、サイホン作用を発生させてボウル部１２の溜水を汚物と共に排出洗浄する。さらに、コントローラ６２は、加圧ポンプ２２の作動停止した後もリム吐水を継続してボウル部１２に溜水を貯めて洗浄終了する。その洗浄終了後、給水路切替弁３６を貯水タンク２０側に切り替えて洗浄水を貯水タンク２０に補給する。貯水タンク２０内の水位が上昇し、上方フロートスイッチ６４ａが規定の貯水量を検出すると、コントローラ６２は、電磁弁３４を閉鎖して給水を停止する。
【００２９】
次に、貯水タンク２０の内部には、上方フロートスイッチ６４ａ、及び、下方フロートスイッチ６４ｂが配置されている。上方フロートスイッチ６４ａは、貯水タンク２０内の水位が所定の上方位置Ｌ１に達するとオンに切り替わり、コントローラ６２はこれを検知して、電磁開閉弁３４を閉鎖させる。下方フロートスイッチ６４ｂは、貯水タンク２０内の水位が所定の下方水位Ｌ３まで低下するとオンに切り替わり、コントローラ６２はこれを検知して、加圧ポンプ２２を停止させる。
【００３０】
これらの作動内容を図４に示す。図４は、本発明の実施形態における水洗便器の基本動作を示すタイムチャートである。なお、このタイムチャートでは、リム吐水の動作の図示を省略しており、概略的なタイムチャートとなっている。
ここで、本発明の実施形態においては、満水時の水位が、後述するようにウォーターフローラインＷＦＬ（図３参照）となっている。ウォーターフローラインＷＦＬの高さは、オーバーフロー流路７０の一端部７０ａの高さに一致する。
【００３１】
先ず、図４に示すように、満水状態において、ｔ１で示す時刻で加圧ポンプ２２が作動し、ジェット吐水が開始される。このとき、貯水タンク２０内の水位がウォーターフローラインＷＦＬを下回る。次に、加圧ポンプ２２が作動中でジェット吐水が行われているとき（時刻ｔ２）、貯水タンク２０内の水位が上方フロートスイッチ６４ａを下回り、上方フロートスイッチ６４ａがＯＮからＯＦＦとなる。
【００３２】
次に、ｔ３で示す時刻において、下方フロートスイッチ６４ｂがＯＦＦからＯＮになると、加圧ポンプ２２が停止するとともにジェット吐水が終了する。なお、加圧ポンプ２２の流量は７０Ｌ／ｍｉｎと多い。従って、便器に供給する水量を一定に保つには時間制御では難しく、下方フロートスイッチ６４ｂによる検知により、加圧ポンプ２２を停止させるようにしている。ここで、貯水タンク２０内の水位は、加圧ポンプ２２の作動慣性量により下方フロートスイッチ６４ｂよりも下方となる。この下方の位置をウォーターデッドラインＷＤＬとして図３に示す。なお、この加圧ポンプ２２の慣性量はばらつきが非常に少ないので、ウォーターデッドラインＷＤＬの位置も毎回ほぼ同じ位置となる。
【００３３】
その後、ｔ４で示す時刻において、ダイヤフラム式の電磁開閉弁３４が作動（ＯＦＦ→ＯＮ）して、貯水タンクへの給水が開始される。このとき、貯水タンク２０内の水位は、ウォーターデッドラインＷＤＬである。そして、電磁開閉弁３４が作動して所定時間後のｔ５の時刻に、下方フロートスイッチ６４ｂがＯＮからＯＦＦとなる。
【００３４】
その後、貯水タンク２０内の水位が上方フロートスイッチ６４ａの位置まで上昇すると、上方フロートスイッチ６４ａがＯＮとなり、電磁開閉弁３４が停止する。ここで、本実施形態では、電磁開閉弁３４は、ウォーターハンマー現象が起こりにくいダイヤフラム式の電磁開閉弁としている。従って、そのダイヤフラム式の特性により、電磁開閉弁３４を停止しても、所定の追加吐水量の水が貯水タンク２０内へと流れる。即ち、電磁開閉弁３４が本発明の追加給水手段に該当する。そして、本実施形態では、この所定の追加吐水量が、上方フロートスイッチ６４ａを超えて且つオーバーフロー流路７０の一端部７０ａを超えるように設定されている。
なお、追加給水手段としては、電磁開閉弁３４の代わりに電動式のボールバルブを用い、上方フロートスイッチ６４ａがＯＮとなってからその電動式ボールバルブを閉弁動作させるまでに所定のディレイ時間を設定しておき、そのディレイ時間追加給水するように構成することもできる。
【００３５】
従って、時刻ｔ７で示すように、貯水タンク２０内の水位が、電磁開閉弁３４を停止（ｔ６）した後の所定の時間経過後にウォーターフローラインＷＦＬを超えることになる。ここで、ウォーターフローラインＷＦＬはオーバーフロー流路７０の一端部７０ａにより形成されるので、ウォーターフローラインＷＦＬを超えて供給された余剰となる水は、ジェット側給水路４６に流出することになる。なお、オーバーフロー流路７０をリム吐水供給路３８に接続して、余剰となる水をリム吐水口１８から流出させるようにしても良い。いずれにしても、余剰となった溜水は、復水に使用することが出来る。
【００３６】
以上説明したように、本実施形態では、この所定の追加吐水量が、上方フロートスイッチ６４ａを超えて且つオーバーフロー流路７０の一端部７０ａを超えるように設定されており、洗浄開始時の水位が常にウォーターフローラインＷＦＬとなるようにしている。また、また、加圧ポンプ２２の慣性量はばらつきが非常に少ないので、洗浄終了時の水位がウォーターデッドラインＷＤＬとなる。従って、便器に吐水させる水量を常に一定に保つことが出来る。
【００３７】
次に、図５及び図６により、貯水タンクの構造を説明する。図５は、本発明の実施形態による貯水タンクの構造を一方の側から見た側面断面図であり、図６は、本発明の実施形態による貯水タンクの構造を他方の側から見た側面断面図である。
先ず、図５及び図６に示すように、貯水タンク２０の上方には、上述したボール式逆止弁４３、４４が設けられている。ボールは、内部が空気で満たされているボール（浮き球）９０、９２であり、これらのボール９０、９２を保持する籠部材９４、９６が設けられている。上方に突出した部分の上部空間Ｓ内が空気で満たされている場合には、ボール９０、９２が籠部材９４、９６により受け止められて、タンク側給水路４０の吐水口８０ｂ及び通水路５０への出口８２ｂが開放状態になっている。従って、タンク側給水路４０の吐水口８０ｂから水が吐水可能となり、また、水蒸気や空気の出口８０ｂから水蒸気や空気が流れ出ることが可能になる。
【００３８】
また、水路系統の１次側であるタンク側給水路４０が負圧になったときには、タンク側給水路４０は、貯水タンク２０内の水を吸引するのではなく、その通気管５０から空気を吸引するので、貯水タンク２０内の水がタンク側給水路４０に逆流することを防止することが出来る。一方、便器詰まり時などに使用されるラバーカップ（図示せず）によりジェット吐水口１６から貯水タンク２０に水圧がかかったときには、その水圧を受けて貯水タンク２０内の水が上昇し、ボール９０、９２自身の浮力により浮き上がり、吐水口８０ｂ及び出口８２ｂを塞いて、貯水タンク２０内の水がタンク側給水路４０及び通水路５０に逆流するのを防止するようになっている。
【００３９】
次に、図５に示すように、上方フロートスイッチ６４ａは貯水タンク２０の蓋部に下向きに取り付けられ、下方フロートスイッチ６４ｂはタンクの底部に上向きに取り付けられている。さらに、図６には、オーバーフロー流路７０、及び、上方に向けて開口した一端部７０ａが示されている。
【００４０】
次に、図５に示し、上述したように、ジェット側給水路４６の上流ジェット側給水路４６ａには、逆止弁であるジェット吐水用フラッパー弁５６が設けられている。フラッパー弁５６は、この開口部６４ｄの近傍に設けられている。図５では、フラッパー弁５６が開放した状態で示されている。このフラッパー弁５６は、圧力損失が少ない弁であるので、ポンプ給水口（上流ジェット側給水路６４ａの開口部）６４ｄからポンプ２２までの間の管における水抜けを防止することが出来る。その結果、連続駆動時にも加圧ポンプ２２のエア噛を防止することが出来る。
【００４１】
また、上流ジェット側給水路６４ａは、下方フロートスイッチ６４ｂよりも下方、具体的には、ウォーターデッドラインＷＤＬより下方で、下側に向けて開口している。従って、下方フロートスイッチ６４ｂがＯＦＦからＯＮになるとき（図４のｔ３）において、加圧ポンプ２２が停止する際、加圧ポンプ２２の慣性量分の水が上流ジェット側給水路６４ａに流出しても、開口部６４ｄから空気が上流ジェット側給水路６４ａに入り込むのを防止することが出来る。その結果、加圧ポンプ２２のエア噛を防止することが出来る。
【図面の簡単な説明】
【００４２】
【図１】本発明の実施形態による水洗大便器の側面図である。
【図２】図１に示す水洗大便器の平面図である。
【図３】本発明の実施形態による水洗大便器を示す全体構成図である。
【図４】本発明の実施形態における水洗便器の基本動作を示すタイムチャートである。
【図５】本発明の実施形態による貯水タンクの構造を一方の側から見た側面断面図である。
【図６】本発明の実施形態による貯水タンクの構造を他方の側から見た側面断面図である。
【符号の説明】
【００４３】
１  水洗大便器
２  便座本体
１２  ボウル部
１４  排水トラップ管路
１６  ジェット吐水口
１８  リム吐水口
２０  貯水タンク
２２  加圧ポンプ
２４  給水路
３８  リム側給水路
４０  タンク側給水路
４６  ジェット側給水路
４６ａ  上流ジェット側給水路
４６ｂ  下流ジェット側給水路
４６ｄ  下流ジェット側給水路の開口部
４３、４４  ボール式逆止弁
５６  ジェット吐水用フラッパー弁
６４ａ  上方フロートスイッチ
６４ｂ  下方フロートスイッチ
７０  オーバーフロー流路
７２  フラッパー弁
８０ｂ  吐水口
８２ｂ  出口
８６  貯水タンクの上方突出部
Ｓ  貯水タンクの上方突出部の上部空間
【図１】
0004958070.tif 000002
【図２】
0004958070.tif 000003
【図３】
0004958070.tif 000004
【図４】
0004958070.tif 000005
【図５】
0004958070.tif 000006
【図６】
0004958070.tif 000007